(57)【要約】【課題】  通気性を十分に向上させることができるシート、および、このシートを用いることにより当該シートに乗せられた幼児から発散される汗や湿気等の水滴を容易に乾燥して除去することができる育児器具を提供すること。【解決手段】  育児器具１０は、座部１１ａと背部１１ｂとを備え、座部１１ａおよび背部１１ｂはシート２０を有している。このシート２０は、通気用のスリット２１を有している。【選択図】  図２
2006051159.tif 000002
【特許請求の範囲】
【請求項１】
座部と背部とを有する育児器具において、
座部および背部はシートを有し、
このシートは、通気用のスリットを有することを特徴とする育児器具。
【請求項２】
スリットはシートの縦方向に設けられていることを特徴とする請求項１に記載の育児器具。
【請求項３】
シートの裏側であってスリットに対応する位置に、通気用のメッシュ状部材が取り付けられていることを特徴とする請求項１または２に記載の育児器具。
【請求項４】
シートに、スリットを開閉するジッパーを設けたことを特徴とする請求項１乃至３のいずれかに記載の育児器具。
【請求項５】
シートに、スリットを開閉するボタンまたはベルクロを設けたことを特徴とする請求項１乃至３のいずれかに記載の育児器具。
【請求項６】
座部と背部とを有する育児器具において、
座部および背部は連続して延びるシートを有し、
このシートは、通気用のメッシュ状部材からなるマチ部を有することを特徴とする育児器具。
【請求項７】
メッシュ状部材からなるマチ部はシートの横方向に設けられていることを特徴とする請求項６に記載の育児器具。
【請求項８】
メッシュ状部材からなるマチ部は育児器具の座部と背部との接続部分の近傍に設けられていることを特徴とする請求項６または７に記載の育児器具。
【請求項９】
メッシュ状部材からなるマチ部はシートにおける一方のシート部分と他方のシート部分との間に設けられており、
マチ部と他方のシート部分との接続箇所に、一方のシート部分に沿って延びるメッシュ状部材からなる背面シートが取り付けられていることを特徴とする請求項６乃至８のいずれかに記載の育児器具。
【請求項１０】
育児器具用のシートにおいて、通気用のスリットを有することを特徴とするシート。
【請求項１１】
シートの裏側であってスリットに対応する位置に、通気用のメッシュ状部材が取り付けられていることを特徴とする請求項１０記載のシート。
【発明の詳細な説明】
【技術分野】
【０００１】
本発明は、新生児、乳児および児童を含む幼児の椅子あるいは寝台として用いられる育児器具およびシートに関する。
【背景技術】
【０００２】
育児器具として、下方端にキャスターが設けられた左右一対の前脚および後脚と、各前脚および各後脚の上方端に連結された左右一対の側板と、一対の側板間に配置されるとともに各側板に被さる一対のアームレストを有する育児器具本体部とを備え、椅子あるいは寝台として用いられるものが開発されている（例えば、特許文献１参照）。
【０００３】
特許文献１に開示された育児器具において、育児器具本体部はアームレストの他に、座部と、座部の前方下方に連結されたステップと、座部の後端から垂直方向上方に伸びるよう連結された背部と、背部の上方に連結されたヘッドレストとを有している。これら各部は連結箇所において互いに傾動自在となっている。このため、育児器具は、幼児の椅子として機能するとともに、脚部と座部と背部とを略水平状態となるよう傾動させることにより幼児の寝台としても機能する。
【０００４】
また、前脚および後脚は側板に対して取付け軸を中心にして回動自在となっている。これにより、育児器具本体部の位置を高くしたり、低くしたりすることができる。さらに、育児器具本体部の座部と背部は、合成樹脂等のシートにより覆われている。
【０００５】
【特許文献１】特開２００３−２４１８９号公報
【発明の開示】
【発明が解決しようとする課題】
【０００６】
しかしながら、幼児がこのような育児器具を椅子または寝台として使用する際に、この幼児から発散される汗や湿気等の水滴が、育児器具のシートの表面に滞留し、幼児にムレ等が生じて不快感を与えるという問題がある。特に、幼児から発散される汗量は成人から発散される汗量に比べて多く、育児器具のシートの表面に滞留する水分の量は、例えば成人用のソファ等のシートの表面に滞留する水分の量に比べて多くなる。
【０００７】
従来は、このような問題を解決するために、シートの材質として通気性の良好なものを用い、シートの表面に滞留する水分を乾燥除去する育児器具が使用されてきた。しかしながら、このようなシートは十分な通気性を確保することができず、シートの表面に滞留する水分の乾燥除去には限界があった。
【０００８】
本発明はこのような点を考慮してなされたものであり、座部と背部に設けられたシートの通気性を向上させることができ、このことによって、当該シートに乗った幼児から発散される汗や湿気等の水滴を容易に乾燥して除去することができる育児器具、およびこのような通気性が向上したシートを提供することを目的とする。
【課題を解決するための手段】
【０００９】
本発明は、座部と背部とを有する育児器具において、座部および背部はシートを有し、このシートは、通気用のスリットを有することを特徴とする育児器具である。本発明の育児器具によれば、座部と背部に設けられたシートの通気性を向上させることができ、このことにより、当該シートに乗った幼児から発散される汗や湿気等の水滴を容易に乾燥して除去することができる。
【００１０】
本発明の育児器具においては、スリットはシートの縦方向に設けられていることが好ましい。このことにより、幼児の頭から尻までの全身から発散される汗や湿気等の水滴を、スリットを通る空気によりまんべんなく乾燥させることができ、シートにおける通気を効率よく行うことができる。
【００１１】
本発明の育児器具においては、シートの裏側であってスリットに対応する位置に、通気用のメッシュ状部材が取り付けられていることが好ましい。このことにより、シートの通気性を確保しながら、幼児がスリットに手を入れることにより育児器具本体の裏側から幼児の手が突き出てしまうことを防止することができ、また、スリット近傍におけるシートの強度を確保することができる。
【００１２】
本発明の育児器具においては、シートに、スリットを開閉するジッパーを設けたことが好ましい。あるいは、シートに、スリットを開閉するボタンまたはベルクロを設けたことが好ましい。このことにより、幼児が育児器具を椅子または寝台として使用する際にはスリットを開口状態とし、使用しない場合にはスリットを閉止状態とすることができる。
【００１３】
本発明は、座部と背部とを有する育児器具において、座部および背部は連続して延びるシートを有し、このシートは、通気用のメッシュ状部材からなるマチ部を有することを特徴とする育児器具である。本発明の育児器具によれば、座部と背部に設けられたシートの通気性を向上させることができ、このことによって、当該シートに乗った幼児から発散される汗や湿気等の水滴を容易に乾燥して除去することができる。
【００１４】
本発明の育児器具においては、メッシュ状部材からなるマチ部はシートの横方向に設けられていることが好ましい。このことにより、幼児の全身から発散される汗や湿気等の水滴をまんべんなくマチ部を通る空気により乾燥させることができ、シートにおける通気を効率よく行うことができる。
【００１５】
本発明の育児器具においては、メッシュ状部材からなるマチ部は育児器具の座部と背部との接続部分の近傍に設けられていることが好ましい。このことにより、幼児の尻に当接する部分の通気性を向上させることができ、このシートに乗った幼児から発散され、この接続部分に流されて滞留する汗や湿気等の水滴を容易に乾燥して除去することができる。
【００１６】
本発明の育児器具においては、メッシュ状部材からなるマチ部はシートにおける一方のシート部分と他方のシート部分との間に設けられており、マチ部と他方のシート部分との接続箇所に、一方のシート部分に沿って延びるメッシュ状部材からなる背面シートが取り付けられていることが好ましい。このことにより、他方のシート部分の背面部と背面シートとの間に通気用空間を設けることができ、幼児の全身から発散される汗や湿気等の水滴をまんべんなくマチ部、通気用空間および背面シートを通る空気により乾燥させることができ、シートにおける通気を効率よく行うことができる。
【００１７】
本発明は、育児器具用のシートにおいて、通気用のスリットを有することを特徴とするシートである。
【００１８】
本発明のシートにおいては、シートの裏側であってスリットに対応する位置に、通気用のメッシュ状部材が取り付けられていることが好ましい。このことにより、シートの通気性を確保しながら、スリットに手を入れることによりシートから手が突き出てしまうことを防止することができ、また、スリット近傍におけるシートの強度を確保することができる。
【発明の効果】
【００１９】
本発明の育児器具によれば、座部と背部に設けられたシートの通気性を向上させることができ、このことによって、当該シートに乗った幼児から発散される汗や湿気等の水滴を容易に乾燥して除去することができる。また、本発明のシートによれば、通気性を十分に向上させることができる。
【発明を実施するための最良の形態】
【００２０】
第１の実施の形態
以下、図面を参照して本発明の第１の実施の形態について説明する。図１および図２は本発明による育児器具（ベビーラック）の第１の実施の形態を示す図である。
このうち、図１は、本実施の形態の育児器具（ベビーラック）１０の斜視図であり、図２は、図１の育児器具１０の育児器具本体部１１に設けられたシート２０の詳細を示す説明図である。
【００２１】
図１に示すように、育児器具１０は、育児器具本体部１１と、育児器具本体部１１の側方に設けられた左右一対の側板１２、１２とを備えている。このうち育児器具本体部１１は、座部１１ａと、この座部１１ａの後端から上方に延びるよう取り付けられた背部１１ｂとを有し、また、育児器具本体部１１の座部１１ａの下方に脚部１３が設けられている。
【００２２】
さらに、育児器具本体部１１の座部１１ａの両側方に設けられ各側板１２、１２は、一対のアームレスト１１ｃ、１１ｃにより覆われ、また座部１１ａの前方下方にステップ１１ｄが設けられている。育児器具本体部１１の背部１１ｂは、上部に設けられたヘッドレスト１１ｅを有し、かつ、この背部１１ｂは、座部１１ａに対して後方に倒すことができる構成となっている。
【００２３】
脚部１３は、育児器具本体部１１を支持するものであり、この脚部１３は、左右一対の前脚１３ａ、１３ａと、後脚１３ｂ、１３ｂとからなっている。各前脚１３ａおよび各後脚１３ｂは、図１に示すように、それぞれの中間部において互いに回動自在に連結され、育児器具１０を側方から見てＸ字状に配置されている。
【００２４】
前脚１３ａ、１３ａおよび後脚１３ｂ、１３ｂの下方端にはそれぞれキャスター１３ｃ、１３ｄが設けられている。各キャスター１３ｃ、１３ｄはストッパ１３ｅを有し、このストッパ１３ｅを降下することにより各キャスター１３ｃ、１３ｄは固定される。また、このキャスター１３ｃ、１３ｄを固定させることにより、脚部１３全体が床面Ｆに対して固定される。
【００２５】
このような育児器具１０は、図１に示すように幼児用の椅子として用いることができるとともに、背部１１ｂを後方に倒すことにより幼児用の寝台として用いることもできる。
【００２６】
本実施の形態の育児器具１０において、育児器具本体部１１には座部１１ａから背部１１ｂまで連続して延びるシート２０が設けられている。このシート２０は、通気用のスリット２１を有するとともに、このスリット２１は、図１に示すように、シート２０の中央部に縦方向に設けられている。また、シート２０は座部１１ａおよび背部１１ｂに設けられたフレーム１１ｆにより支持されている。シート２０および通気用のスリット２１について図２を用いて以下に詳述する。
【００２７】
シート２０の材質は、例えばポリエステル等の合成樹脂からなり、図２に示すように、このシート２０の前面部２０ａが育児器具１０に乗った幼児の体に直接接触する部分となっている。また、シート２０のスリット２１は、シート２０の貫通溝からなり、シート２０に設けられた合成樹脂の布部材からなる一対のスリット形成部材２１ｂ、２１ｂの間に形成されている。これらの一対のスリット形成部材２１ｂ、２１ｂは、シート２０の前面部２０ａおよび背面部２０ｂに縫合されて設けられている。
【００２８】
また、図２に示すように、シート２０の背面部２０ｂ側におけるスリット２１に対応する位置に、通気用のメッシュ状部材２２が設けられている。このメッシュ状部材２２は、図２に示すようにシート２０の背面側２０ｂに接続部２３を介して接続されており、この接続部２３は、シート２０の背面部２０ｂのうちスリット形成部材２１ｂが縫合される部分に一緒に縫合されて取り付けられている。
【００２９】
また、ジッパー２１ａがシート２０の一対のスリット形成部材２１ｂ、２１ｂ間に取り付けられており、このジッパー２１ａによってスリット２１の表側（シート２０の前面部２０ａ側）が開閉されるようになっている。なお、スリット２１を開閉する方法としては、上記のジッパー２１ａによる方法に限定されることはなく、例えばボタンを用いたボタン止め方式やベルクロファスナを用いたベルクロ止め方式を用いることができる。
【００３０】
次にこのような構成からなる本実施の形態の作用について説明する。
【００３１】
幼児が椅子または寝台として使用される育児器具１０に乗せられた場合、この幼児から発散される汗や湿気等の水滴が育児器具１０のシート２０の表面に生じる。
【００３２】
一方、幼児の体が直接接触するシート２０には、例えばジッパー２１ａによって開閉自在となっているスリット２１が設けられており、このスリット２１を開口状態とすることによって、シート２０の表側と裏側との間において十分な通気性を確保することができる。具体的には、図２においてシート２０の一対のスリット形成部材２１ｂ、２１ｂ間に設けられたスリット２１を通って図の矢印に示すように空気（ＡＩＲ）が通過し、シート２０の前面部２０ａ上の水分がこのスリット２１を通過する空気により乾燥される。このことによって、シート２０に乗った幼児から発散される汗や湿気等の水滴を容易に乾燥して除去することができる。
【００３３】
この場合、この育児器具１０においては、図１に示すように、シート２０のスリット２１は育児器具１０の中央部に縦方向に設けられているので、幼児の頭から尻までの全身から発散される汗や湿気等の水滴をまんべんなくスリット２１を通る空気により乾燥させることができ、シート２０における通気を効率よく行うことができる。すなわち、幼児の頭から尻までの全身から発散される汗や湿気等の水分はシート２０の中央部近傍に集まるので、スリット２１をシート２０の中央部に縦方向に設けることにより、スリット２１を通る空気により確実に乾燥させることができる。
さらに、この育児器具１０においては、スリット２１は、その表側が当該スリット２１に取り付けられたジッパー２１ａにより開閉されるので、あるいは、その表面がボタン止め方式またはベルクロ止め方式により開閉されるので、幼児が育児器具１０を椅子または寝台として使用する際にはスリット２１を開口状態とし、使用しない場合にはスリット２１を閉止状態とすることができる。
【００３４】
なお、本実施の形態に示すシート２０は、図１に示すベビーラックからなる育児器具１０以外にも例えばチャイルドシートやベビーカーにも用いることができる。
【００３５】
第２の実施の形態
以下、図面を参照して本発明の第２の実施の形態について説明する。図３および図４は本発明による育児器具（ベビーラック）の第２の実施の形態を示す図である。このうち、図３は、本実施の形態の育児器具（ベビーラック）１０の斜視図であり、図４は、図３の育児器具１０のシート３０およびマチ部３１の詳細を示す説明図である。
【００３６】
本実施の形態による育児器具１０は、スリット２１が設けられたシート２０を用いる代わりに、通気用のメッシュ状部材３１ａからなるマチ部３１を設けたシート３０を用いる点が異なるのみであり、他は実質的に図１および図２に示す第１の実施の形態と同様の構成を有している。図３および図４に示す第２の実施の形態おいて、図１および図２に示す第１の実施の形態と同一部分には同一符号を付して詳細な説明を省略する。このシート３０およびマチ部３１について図３および図４を用いて以下に詳しく説明する。
【００３７】
本実施の形態の育児器具１０において、育児器具本体部１１には座部１１ａから背部１１ｂまで連続して延びるシート３０が設けられており、このシート３０は、通気用のメッシュ状部材３１ａからなるマチ部３１を有している。このマチ部３１は、図３に示すように、育児器具１０のシート３０の横方向に設けられており、さらに、育児器具１０の座部１１ａと背部１１ｂとの接続部分１１ｇよりわずかに上方の近傍に設けられている。このシート３０および通気用のメッシュ状部材３１ａからなるマチ部３１について図４を用いて以下に詳述する。
【００３８】
本実施の形態におけるシート３０の材質は、第１の実施の形態におけるシート２０の材質と同様に例えばポリエステル等の合成樹脂からなっている。図４に示すように、シート３０の前面は後述するマチ部３１を境として背部１１ｂ側の一方のシート部分３０ａと、座部１１ａ側の他方のシート部分３０ｂとに区画されている。そして、この一方のシート部分３０ａの前面部３０ｃおよび他方のシート部分３０ｂの前面部３０ｄが育児器具１０に乗った幼児の体に直接接触する部分となっている。
前述のように、一方のシート部分３０ａと他方のシート部分３０ｂとの間に、通気用のメッシュ状部材３１ａからなるマチ部３１が設けられており、このマチ部３１の両端縁が、一方のシート部分３０ａおよび他方のシート部分３０ｂに各々縫合されている。
【００３９】
さらに、メッシュ状部材３１ａからなるマチ部３１の他方のシート部分３０ｂ側の端縁には、メッシュ状部材３１ａと同様の通気性を有するメッシュ状部材からなる背面シート３０ｇが接続され、この背面シート３０ｇは一方のシート部分３０ａの前面部３０ｃに対向する一方の背面部３０ｅ側に延び、さらに背面シート３０ｇは背部１１ｂの背面側に延びている。一方のシート部分３０ａの背面部３０ｅと背面シート３０ｇとの間に通気用空間Ｎが形成されている。なお、他方のシート部分３０ｂの前面部３０ｄと、この他方の前面部３０ｄに対向する他方の背面部３０ｆは、マチ部３１が他方の前面部３０ｄに縫合されている箇所において互いに縫合されて接続されている。
【００４０】
次にこのような構成からなる本実施の形態の作用について説明する。
【００４１】
幼児が椅子または寝台として使用される育児器具１０に乗せられた場合、この幼児から発散される汗や湿気等の水滴が育児器具１０のシート３０の表面に生じる。
【００４２】
一方、幼児の体が直接接触するシート３０には、メッシュ状部材３１ａを有するマチ部３１が設けられており、このマチ部３１が通気性を有するので、シート３０の前面部３０ｃ、３０ｄ側と背面部３０ｅ、３０ｆ側との間において通気用空間Ｎを介して十分な通気性を確保することができる。
具体的には、図４に示すように、シート３０の前面部３０ｃ、３０ｄ側の空気（ＡＩＲ）がマチ部３１のメッシュ状部材３１ａを通過して、一方のシート部分３０ａの背面部３０ｅと背面シート３０ｇとの間の通気用空間Ｎに入り、さらに、この空気は背面シート３０ｇの通気性のメッシュ状部材を通過してシート３０の裏側に送られる。このことにより、育児器具１０の十分な通気性を確保することができ、シート３０の前面部３０ｃ、３０ｄ上の水分がマチ部３１を通過する空気により乾燥される。このため、シート３０に乗った幼児から発散される汗や湿気等の水滴を容易に乾燥して除去することができる。
【００４３】
また、この育児器具１０においては、シート３０のマチ部３１は育児器具１０の横方向に設けられているので、幼児の全身から発散される汗や湿気等の水滴をまんべんなくマチ部３１を通る空気により乾燥させることができ、シート３０における通気を効率よく行うことができる。さらに、このマチ部３１が育児器具１０の座部１１ａと背部１１ｂとの接続部分１１ｇの近傍に設けられているので、シート３０に乗った幼児から発散され、この接続部分１１ｇに流されて滞留する汗や湿気等の水滴を容易に乾燥して除去することができる。
なお、本実施の形態に示すシート３０は、図３に示すベビーラックからなる育児器具１０以外にも例えばチャイルドシートやベビーカーにも用いることができる。
【００４４】
以下、図面を参照して本発明の第２の実施の形態の変形例について説明する。図５および図６は本発明による育児器具がベビーラックではなくベビーカーからなる場合において、このベビーカーの構成を示す図である。このうち、図５は、本実施の形態のベビーカー４０の斜視図であり、図６は、図５のベビーカー４０のシート６０およびマチ部５１の詳細を示す説明図である。
【００４５】
図５に示すように、本実施の形態のベビーカー４０は、座部４４ｂと背部４４ａとを有するベビーカー本体部４０ａと、ベビーカー本体部４０ａ上に設けられ、座部４４ｂから背部４４ａまで連結して延びるシート６０とを備えている。このうち座部４４ｂ側のシート部分６０ｂは、座部４４ｂ側に設けられたベースシート（支持体、図示せず）により支持され、背部４４ａ側のシート部分６０ａは、背部４４ａ側に設けられたリクライニング機構（図示せず）により支持されている。
【００４６】
また、ベビーカー本体部４０ａは、に示すように、双輪式の前輪４３ｃを有する左右一対の前脚４３ａと、双輪式の後輪４３ｄを有する左右一対の後脚４３ｂとからなる脚部４３と、ほぼ逆Ｕ字状に屈曲された手押杆４８と、左右一対のアームレスト４７と、を具備している。手押杆４８は、左右一対の背パイプ５０と操作装置４９とを含んで構成されており、当該背パイプ５０の下端近傍にはそれぞれ上記アームレスト４７の一端が枢着され、そのアームレスト４７の他端部には前脚４３ａの頂端部が枢着されている。左右の後脚４３ｂの頂端部は、アームレスト４７の中間部に枢着されており、その後脚４３ｂの中間部には、く字状に形成されたブラケット４５の一端が枢着されている。そして、そのブラケット４５の中間位置には、手押杆４８を構成する背パイプ５０の先端がそれぞれ枢着されている。
【００４７】
ベビーカー４０が展開された状態では（図５）、ブラケット４５の他端に形成された係合部（図示せず）と、背パイプ５０の下端部に摺動可能に装着されたロック部材（図示せず）とが係合することによって、その展開状態が維持されるようになっている。一方、ベビーカー４０が展開された状態にある場合に、手押杆４８の操作装置４９を操作することによって、ブラケット４５の係合部とロック部材との係合が離脱されるようになっている。ブラケット４５の係合部とロック部材との係合が離脱されると、アームレスト４７等が、背パイプ５０等との枢着点を中心として上方へ揺動することができ、前脚４３ａと後脚４３ｂとがほぼ平行状態に揺動されることによって、ベビーカー４０は折り畳まれるようになっている。更に、左右の背パイプ５０を前方に移動させると、手押杆４８等が前方にコ字状に折り曲げられるようになっており、ベビーカー４０は、更にコンパクトに折り畳まれるようになっている。
【００４８】
次に、ベビーカー本体部４０ａ上に設けられ、ベビーカー本体部４０ａの背部４４ａから座部４４ｂまで連結して延びるシート６０について説明する。
【００４９】
このシート６０は、図３および図４に示すシート３０と同様の構成となっており、通気用のメッシュ状部材からなるマチ部５１を有している。このマチ部５１は、ベビーカー４０のシート６０の横方向に設けられている。このシート６０および通気用のメッシュ状部材からなるマチ部５１について図６を用いて以下に詳述する。
【００５０】
本実施の形態におけるシート６０の材質は、第１の実施の形態におけるシート２０の材質と同様に例えばポリエステル等の合成樹脂からなっている。図６に示すように、シート６０の前面は後述するマチ部５１を境として背部４４ａ側の一方のシート部分６０ａと、座部４４ｂ側の他方のシート部分６０ｂとに区画されている。そして、この一方のシート部分６０ａの前面部および他方のシート部分６０ｂの前面部がベビーカー４０に乗った幼児の体に直接接触する部分となっている。
前述のように、一方のシート部分６０ａと他方のシート部分６０ｂとの間に、通気用のメッシュ状部材からなるマチ部５１が設けられており、このマチ部５１の両端縁が、一方のシート部分６０ａおよび他方のシート部分６０ｂに各々縫合されている。
【００５１】
さらに、図４に示すシート３０と同様に、メッシュ状部材からなるマチ部５１の一方のシート部分６０ａ側の端縁には、メッシュ状部材と同様の通気性を有するメッシュ状部材からなる背面シート（図示せず）が接続され、この背面シートは一方のシート部分６０ａの前面部に対向する一方の背面部側に延びている。また、図４に示すシート３０と同様に、一方のシート部分６０ａの背面部と背面シートとの間に通気用空間（図示せず）が形成されている。
【００５２】
この変形例のベビーカー４０によれば、図３に示すベビーラックと同様に、幼児の体が直接接触するシート６０には、メッシュ状部材を有するマチ部５１が設けられており、このマチ部５１が通気性を有するので、シート６０の前面部側と背面部側との間において通気用空間を介して十分な通気性を確保することができる。
【図面の簡単な説明】
【００５３】
【図１】本発明の第１の実施の形態の育児器具（ベビーラック）の斜視図
【図２】図１の育児器具（ベビーラック）のシートおよびスリットの詳細を示す説明図
【図３】本発明の第２の実施の形態の育児器具（ベビーラック）の斜視図
【図４】図３の育児器具（ベビーラック）のシートおよびメッシュ状部材のマチ部の詳細を示す説明図
【図５】本発明の第２の実施の形態の変形例におけるベビーカーからなる育児器具の斜視図
【図６】図５のベビーカーのシートおよびメッシュ状部材のマチ部の詳細を示す説明図
【符号の説明】
【００５４】
１０    育児器具（ベビーラック）
１１    育児器具本体部
１１ａ  座部
１１ｂ  背部
１１ｃ、１１ｃ  アームレスト
１１ｄ  ステップ
１１ｅ  ヘッドレスト
１１ｆ  フレーム
１１ｇ  接続部分
１２、１２  側板
１３    脚部
１３ａ、１３ａ  前脚
１３ｂ、１３ｂ  後脚
１３ｃ、１３ｄ  キャスター
１３ｅ  ストッパ
２０    シート
２０ａ  前面部
２０ｂ  背面部
２１    スリット
２１ａ  ジッパー
２１ｂ、２１ｂ    スリット形成部材
２２    メッシュ状部材
２３    接続部
３０    シート
３０ａ  一方のシート部分
３０ｂ  他方のシート部分
３０ｃ  一方の前面部
３０ｄ  他方の前面部
３０ｅ  一方の背面部
３０ｆ  他方の背面部
３０ｇ  背面シート
３１    マチ部
３１ａ  メッシュ状部材
４０    ベビーカー
４０ａ  ベビーカー本体部
４３    脚部
４３ａ  前脚
４３ｂ  後脚
４３ｃ  前輪
４３ｄ  後輪
４４ａ  背部
４４ｂ  座部
４５    ブラケット
４７    アームレスト
４８    手押杆
４９    操作装置
５０    背パイプ
５１    マチ部
６０    シート
６０ａ  一方のシート部分
６０ｂ  他方のシート部分
【図１】
2006051159.tif 000003
【図２】
2006051159.tif 000004
【図３】
2006051159.tif 000005
【図４】
2006051159.tif 000006
【図５】
2006051159.tif 000007
【図６】
2006051159.tif 000008